(57)【要約】      （修正有）【課題】複数の中仕切り気室を備えたコンテナ用扁平な緩衝空気袋を提供する。【解決手段】熱溶着方法で接着された主気室を形成する複数の外部フィルム２１，２２と、主気室に連結されて気体を主気室に注入するエアーバルブ装置と、複数の外部フィルム２１，２２の間に位置する複数の連結フィルム５と、複数の外部フィルム２１，２２と複数の連結フィルム５を連結して複数の連結フィルム５で主気室を区画する複数の連結線６と、複数の外部フィルム２１，２２と複数の連結フィルム５の間に形成され、その中に空気を注入して膨張した時複数の外部フィルム２１，２２が複数の連結線６間に複数の円弧部２５を形成し、複数の円弧部２５が同一平面上にあって互いに交わり、複数の外部フィルム２１，２２を物品の表面に多点接触させて物品を緩衝保護する複数の中仕切り気室２０１とを、含む。【選択図】図４
2014015261.tif 000002
【特許請求の範囲】
【請求項１】
熱溶着方法で接着された主気室を形成する複数の外部フィルムと、
前記主気室に連結されて気体を前記主気室に注入するエアーバルブ装置と、
前記外部フィルムの間に位置する複数の連結フィルムと、
前記外部フィルムと前記連結フィルムを連結して前記連結フィルムで前記主気室を区画する複数の連結線と、
前記外部フィルムと前記連結フィルムの間に形成され、その中に空気を注入して膨張した時前記外部フィルムが前記連結線間に複数の円弧部を形成し、前記円弧部が同一平面上にあって互いに交わり、前記外部フィルムを物品の表面に多点接触させて前記物品を緩衝保護する複数の中仕切り気室と、を含むことを特徴とする、
複数の中仕切り気室を備えたコンテナ用扁平な緩衝空気袋。
【請求項２】
前記連結フィルムは、相互に平行になることを特徴とする請求項１に記載の複数の中仕切り気室を備えたコンテナ用扁平な緩衝空気袋。
【請求項３】
１枚の前記外部フィルムの前記円弧部が、もう１枚の前記外部フィルムの前記円弧部に対応することを特徴とする請求項２に記載の複数の中仕切り気室を備えたコンテナ用扁平な緩衝空気袋。
【請求項４】
１枚の前記連結フィルムの一端が、もう１枚の前記連結フィルムの一端に連結されることを特徴とする請求項１に記載の複数の中仕切り気室を備えたコンテナ用扁平な緩衝空気袋。
【請求項５】
前記両外部フィルムの前記円弧部は、交互に配列されることを特徴とする請求項４に記載の複数の中仕切り気室を備えたコンテナ用扁平な緩衝空気袋。
【請求項６】
前記連結フィルムと前記外部フィルムの長さを等しくすることで、前記主気室を独立した前記中仕切り気室として区画することを特徴とする請求項１に記載の複数の中仕切り気室を備えたコンテナ用扁平な緩衝空気袋。
【請求項７】
前記連結フィルムは、前記中仕切り気室に連通するためのスルーホールを含むことを特徴とする請求項６に記載の複数の中仕切り気室を備えたコンテナ用扁平な緩衝空気袋。
【請求項８】
前記エアーバルブ装置は、複数の気体通路を含み、各前記気体通路が１個の前記中仕切り気室に対応して各前記中仕切り気室に独立して空気を注入させることを特徴とする請求項６に記載の複数の中仕切り気室を備えたコンテナ用扁平な緩衝空気袋。
【請求項９】
前記中仕切り気室は、各自独立している場合、前記エアーバルブ装置がそれぞれ空気注入弁、及び、排気弁として空気注入、及び、各独立した前記主気室の気体を排出して前記コンテナ用扁平な緩衝空気袋を巻き取ることに用いられ、前記中仕切り気室が連通している場合、１個の前記エアーバルブ装置を設けて空気注入、及び、前記中仕切り気室の気体を排出することに用いられることを特徴とする請求項１に記載の複数の中仕切り気室を備えたコンテナ用扁平な緩衝空気袋。
【発明の詳細な説明】
【技術分野】
【０００１】
本発明は、コンテナ用緩衝空気袋で、特に、複数の中仕切り気室を備えたコンテナ用扁平な緩衝空気袋に関する。
【背景技術】
【０００２】
緩衝空気袋の主な用途は、段ボール或いはコンテナ内に充填され、隣り合う貨物を仕切ることで、段ボールとコンテナの運送期間における内部貨物の振動、転倒又は落下を避けるためである。
【０００３】
図１と図２に示すように、従来の緩衝空気袋Ａ１は、一般的に両ビニールフィルムＡ１０を熱溶着したものからなり、また緩衝空気袋Ａ１の内部に空気を注入して空気袋を膨張させて緩衝作用を働かせる。該空気袋が膨張した後、その両側が各々自然に円弧表面Ａ１１を形成し、緩衝空気袋Ａ１を両被緩衝物Ａ８の間に充填した時、空気袋両側の円弧表面Ａ１１が被緩衝物Ａ８に各々接触できることで、両被緩衝物Ａ８の間の隙間を埋め、且つ空気袋本体に自然に弾性が生まれ、被緩衝物Ａ８の振動、転倒又は落下を防止できる。
【０００４】
前記の、従来の緩衝空気袋Ａ１の円弧表面Ａ１１の中央部位Ａ１２が比較的凸出するため、緩衝空気袋Ａ１は、その円弧表面Ａ１１の中央部位Ａ１２で被緩衝物Ａ８を押して１点接触の状況を形成する。該被緩衝物Ａ８は大半が梱包用段ボールであるため、長期に円弧表面Ａ１１の中央部位Ａ１２が押された状況において、容易にその歪曲変形を招き、更には被緩衝物Ａ８内部の物品にも影響或いは損傷を与えてしまう。
【発明の概要】
【発明が解決しようとする課題】
【０００５】
そこで、本発明は上記のような従来技術の問題点に鑑みて、複数の中仕切り気室を備えたコンテナ用扁平な緩衝空気袋を提供することを目的とする。
【課題を解決するための手段】
【０００６】
本発明に係る複数の中仕切り気室を備えたコンテナ用扁平な緩衝空気袋は、熱溶着方法で接着された主気室を形成する複数の外部フィルムと、主気室に連結されて気体を主気室に注入するエアーバルブ装置と、複数の外部フィルムの間に位置する複数の連結フィルムと、複数の外部フィルムと複数の連結フィルムを連結して複数の連結フィルムで主気室を区画する複数の連結線と、複数の外部フィルムと複数の連結フィルムの間に形成され、その中に空気を注入して膨張した時複数の外部フィルムが複数の連結線間に複数の円弧部を形成し、複数の円弧部が同一平面上にあって互いに交わり、複数の外部フィルムを物品の表面に多点接触させて物品を緩衝保護する複数の中仕切り気室とを、含む。
【発明の効果】
【０００７】
本発明は、連結フィルムで複数の外部フィルムに連結され、外部フィルムが元々空気注入により膨張して形成された１つの円弧面を複数の円弧部に変える。且つ複数の連結線は、必要性に応じて不等間隔或いは等間隔方法で設けることができ、等間隔に設けた場合、複数の円弧部に同じ弧度を持たせて同一平面上にあって互いに交わる。
外部フィルムが複数の連結フィルムで上下熱溶着にて固定されるため、空気注入時外部フィルムが制限を受けて外側へ広がることができない。よって空気を注入した後複数の中仕切り気室を備えた扁平な空気密封体を形成する。
これにより、本発明は、複数の円弧部で物品にしっかり当接して物品の表面に多点接触する形を形成し、従来の緩衝空気袋の被緩衝物の、１点を押すことによる被緩衝物の歪曲変形問題を効果的に解決できる。
【０００８】
以下、実施形態において本発明の特徴及び長所を詳細に記述する、その内容は当業者に本発明の技術内容を理解してもらうと共にこれに基づいて実施させることができ、且つ本明細書に開示されている内容、特許請求の範囲及び図面に基づき、当業者が容易に本発明の関連の目的及び長所を理解できる。
【図面の簡単な説明】
【０００９】
【図１】従来の空気袋の立体外観図である。
【図２】従来の緩衝空気袋の使用状態を示す図である。
【図３】本発明に係る第１の実施例の立体外観図である。
【図４】図３のＡ−Ａ’の断面を示す図である。
【図５】本発明に係る第１の実施例の別の様態の立体外観図である。
【図６Ａ】本発明に係る第１の実施例の連結フィルムを熱溶着する様子を示す図である。
【図６Ｂ】本発明に係る第１の実施例の平面図である。
【図７】本発明に係る第１の実施例の空気を注入した状態を示す図である。
【図８】本発明に係る第１の実施例の使用状態を示す図である。
【図９】本発明に係る第２の実施例の断面を示す図である。
【図１０】本発明に係る第３の実施例の立体外観図（一）である。
【図１１】本発明に係る第３の実施例の立体外観図（二）である。
【発明を実施するための形態】
【００１０】
（第１の実施例）
図３乃至図８を参照しながら説明する。図３乃至図８に示されるのは、本発明の第１の実施例として開示する複数の中仕切り気室を備えたコンテナ用扁平な緩衝空気袋である。
【００１１】
本発明の複数の中仕切り気室を備えたコンテナ用扁平な緩衝空気袋１は、両外部フィルム２１と２２とエアーバルブ装置１０と連結フィルム５と連結線６とを含む。
【００１２】
両外部フィルム２１と２２は重なり、両外部フィルム２１と２２の間に複数の連結フィルム５が配置され、且つ各連結フィルム５の両側が熱溶着線６で各々熱溶着されることで、外部フィルム２１と外部フィルム２２にそれぞれ連結する。複数の連結フィルム５と両外部フィルム２１と２２の熱溶着が完成してから熱溶着方法を通じて熱溶着線２３を形成して両外部フィルム２１と２２の両端を熱溶着し、両外部フィルム２１と２２で形成した主気室２０となる。
主気室２０内に複数の内側連結フィルム５で形成された中仕切り気室２０１（図３と図４）を含む。言い換えると、複数の中仕切り気室２０１が両外部フィルム２１と２２と複数の連結フィルム５の間に形成される。本実施例において、中仕切り気室２０１は概ね矩形体の空間を呈し、連結フィルム５が空間内の支柱のようになる。
【００１３】
そこで、連結フィルム５と外部フィルム２１、外部フィルム２２の長さが等しいため、連結線６を経由して熱溶着にて接着した後、主気室２０を独立した複数の中仕切り気室２０１に区画できる。
また、別の実施様態において、図５に示すように、連結フィルム５にスルーホール５１を更に設けることができ、独立した複数の中仕切り気室２０１に連通するために用いられる。本実施例において、複数の中仕切り気室２０１が相互に独立する場合、各気体通路１２が１個の中仕切り気室２０１に対応し、よって気体は各気体通路１２を経由して各中仕切り気室２０１に対し独立して空気注入できる。
【００１４】
図４を参照しながら説明する。本実施例において、複数の連結線６は等間隔で設けられると共に外部フィルム２１、２２と複数連結フィルム５に連結される。つまり連結フィルム５の一端が連結線６を通じて外部フィルム２１に熱溶着にて固定され、他端が連結線６を通じて外部フィルム２２に熱溶着方法で固定される。
しかし若干の実施例において、複数の連結線６はニーズに応じて不等間隔で設けることもできる。外部フィルム２１と連結フィルム５が相互に接着固定するため、空気注入時外部フィルム２１、２２の両側が連結フィルムで熱溶着線６により熱溶着され制限を受けて外側へ広がることができない。よって外部フィルム２１、２２が空気を注入して膨張した時全体が外側へ突出することなく、複数の連結線６間で複数の円弧部２５が形成される。
【００１５】
そこで、複数の円弧部２５は同じ曲率を有することで同一平面にあって互いに交わる。言い換えると、各円弧部２５は同じ弧長を持つと共に突出する程度も同じで、よって同一平面上にあって互いに交わる。この外側に、複数の連結線６を等間隔で設けることができ、且つ複数の連結フィルム５が両外部フィルム２１と２２の間に互いに平行して設けられるため、外部フィルム２１にある複数の円弧部２５が外部フィルム２２の複数の円弧部２５に対応する。
【００１６】
図６Ａに示すように、本実施例において、複数の連結フィルム５が外部フィルム２１、２２の間に位置し、また事前に折り曲げると共にその間に耐熱片８が設けられ、熱溶着方法により接着されることで連結線６を形成し、耐熱片８の一面は連結フィルム５の一端を連結線６を通じて外部フィルム２１に熱溶着にて固定させることができる。
耐熱片８の他面が連結フィルム５の他端を連結線６を通じて外部フィルム２２に熱溶着にて固定させることができ、また耐熱片８で折り曲げた連結フィルム５が熱溶着にて接着されることを防止する。ただし先に述べる耐熱片８に関する設置は、例として挙げただけであって、本発明はこれに限るものではない。折り曲げた連結フィルム５の間に耐熱片８が設けられる以外に、折り曲げた連結フィルム５の間に耐熱性インキを塗布して耐熱片８の代わりとすることもできる。
【００１７】
図６Ａと図６Ｂに示すように、コンテナ用扁平な緩衝空気袋１に空気を注入した時、気体が両内部フィルム１ａ／１ｂが重なり合ったエアーバルブ装置１０の空気注入通路１１ｂに入り込み、両内部フィルム１ａと１ｂが外側へ広がることで各気体通路１２を開き、気体が各気体通路１２を経由して主気室２０或いは各中仕切り気室２０に注入されて膨張する。
空気注入で膨張した後、主気室２０或いは各中仕切り気室２０内の気体が両内部フィルム１ａと１ｂを圧迫して密着することで気体通路１２を封鎖し、気体が気体通路１２から逆流又は外部に漏れないようになる。外部フィルム２１、２２に空気を注入して膨張した時、複数の連結線６間に複数の円弧部２５が形成され、そこで、複数の円弧部２５が同一平面上にあって互いに交わる。
図８に示すように、全体的に見ると、コンテナ用扁平な緩衝空気袋１が概ね扁平状を呈し、外部フィルム２１、２２を物品９の表面に多点接触させて物品９を緩衝保護する。
【００１８】
（第２の実施例）
本発明に係る第２の実施例に開示される複数の中仕切り気室を備えたコンテナ用扁平な緩衝空気袋の図９を参照しながら説明する。本実施例と第１の実施例の最大の相違点は、連結フィルム５の設置方式である。
本実施例では、連結フィルム５の一端が別の連結フィルム５の一端に連結され、全体的に見ると、互いに連結した連結フィルム５は連続するＶ字形を呈する。複数の連結線６は等間隔で設けることができ、且つ複数の連結フィルム５が連続するＶ字形を呈すると共に両外部フィルム２１と２２の間に設けられ、よって外部フィルム２１にある複数の円弧部２５と外部フィルム２２の複数の円弧部２５が交互に配列する。その他の構造は前記内容通りであるため、ここで詳細な記述を省略する。
【００１９】
本発明に係る第２の実施例に開示される複数の中仕切り気室を備えたコンテナ用扁平な緩衝空気袋の図１０を参照しながら説明する。本実施例と第１の実施例の最大の相違点は、外部フィルム構造である。本実施例では、両外部フィルム２１と２２が熱溶着方法により熱溶着線２３を形成してその周縁を接着し、両外部フィルム２１と２２の４つ側辺が互いに連結させることで主気室２０を形成する。その他の構造は前記内容通りであるため、ここでは詳細な記述を省略する。
【００２０】
図１０に示すように、別の実施様態において、連結フィルム５の長さが両外部フィルム２１、２２より短く、これにより区画して形成した複数の中仕切り気室２０１が相互に連通する。本実施例において、複数の中仕切り気室２０１が相互に連通し、エアーバルブ装置１０は１個の気体通路１２のみ設置することで、全ての中仕切り気室２０１に空気を注入することができる。しかしながら、若干の実施例において、複数の中仕切り気室２０１は各自独立することもでき、気体が相互に連通できない。
図１１に示すように、別の実施様態において、エアーバルブ装置１０は連続的なエアーバルブ構造とすることができ、複数の気体通路１２を備えると同時に全ての中仕切り気室２０１に空気を注入できる。且つ、若干の実施例において、複数の中仕切り気室２０１が各自独立した時、各々ノズル構造を有するエアーバルブ装置１０を設けることができる。例えばプラスチック用のエアーバルブ開閉器１３（図１１）である。よって、各中仕切り気室２０１はその独立したエアーバルブ開閉器１３を通じて排気を行うことができる。
この実施様態において、各中仕切り気室２０１は単独でエアーバルブ口による空気注入、エアーバルブ開閉器１３による排気を行うことができ、いずれかの中仕切り気室２０１が破損した時も他の中仕切り気室２０１の空気注入状態に影響を及ぼすことがない。且つ若干の実施例において、エアーバルブ装置１０が排気バルブ構造とすることができ、独立した中仕切り気室２０１の気体を排出するために用いられ、各中仕切り気室２０１が排気した後、収納のため巻き取ることができる。
【００２１】
前述で説明したエアーバルブ装置１０は例として挙げただけであって、本発明はこれに限るものではない。異なる実施例において、エアーバルブ装置１０は各種のプラスチック（例えば薄膜）或いは紙袋に運用でき、また実際の使用に応じて異なるタイプとすることができる。
【００２２】
（一）エアーバルブ装置１０は、連続的な各気室の独立した一方向空気閉止弁構造で、つまり両内部フィルム１ａ、１ｂからなるフィルムを両外部フィルム２１、２２のいずれかに設けられ、図３、図６Ｂと図７を参照できる。
両内部フィルム１ａ、１ｂと外部フィルム２１或いは２２内面を熱溶着して空気注入口１１ａ、空気注入通路１１ｂ及び気体通路１２を形成し、更に一番外側の連結フィルムの一側と一緒に熱溶着して外部空気注入口１１ａを形成する。気体が空気注入口から空気注入通路１１ｂに入り込んだ後、各気体通路１２に流れ込んで各連結フィルム５と上下熱溶着線６と上下外部フィルムからなる各中仕切り気室２０１に注入し、一番外側の連結フィルム５に空気を注入して膨張した後自動的に両側の縁端フィルムを形成する。
【００２３】
（二）エアーバルブ装置１０のエアーバルブ開閉器１３は空気注入装置で、プラスチックからなりピストンを備えた空気注入弁／排気弁構造とすることができ、いずれかの外部フィルム２１或いは２２に設けられ、空気を注入した時、エアーバルブ開閉器１３のピストンが開くと、空気を注入できる。
各連結フィルム５と外部フィルム２１、２２を熱溶着して形成した各中仕切り気室２０１に空気を送り込むことができるため、事前に各連結フィルム５にスルーホール５１（図５）を設け、各中仕切り気室２０１を連通させて、空気注入を終えた後ピストンを詰めると、主気室２０外に流出することなく空気を閉止できる。排気時は逆操作で、ピストンを開くと排気できる。
【００２４】
（三）両ビニールフィルムからなるソフト式空気注入装置で前記ピストン式エアーバルブ装置１０を代替し、上下の両外部フィルム２１、２２の接合部或いはいずれかの連結フィルム５と外部フィルム２１又は２２の接合部に設けられる。この両ビニールフィルムの内面に予め耐熱ブロックを塗布し、両外部フィルム２１、２２或いは連結フィルム５に入れて一緒に熱溶着すると、耐熱ブロックを塗布した箇所が熱溶着により一緒に接着することがないため、切欠口を形成でき、この切欠口から空気を注入でき、空気を注入した後主気室２０の内圧で両ビニールフィルムを圧迫することで自動的に空気を閉止（図１０）する。
【００２５】
１つの密封体系が上下左右に熱溶着にて密封して空気貯蔵可能な空間を形成する。本発明では両外部フィルムの上下積層を引用し、その中に上下外部フィルムを連結する複数の連結フィルムが設けられ、各連結フィルムの一側に各外部フィルムと熱溶着にて接着して複数の四角形気室をそれぞれ形成し、また両外部フィルムの前後末端を熱溶着することで、複数の中仕切り気室を備えた空気密封体を構成する。
【００２６】
両外部フィルムの面積が大きく、各連結フィルムの面積が小さいため、外部フィルムを熱溶着線で若干の小面体に分けるようになり、その連結フィルムの設置方法を以下に分けることができる。
【００２７】
（一）複数の独立した連結フィルムを両外部フィルムの内側に平行して設け、複数の連結フィルムの側辺が外部フィルムの上下と各々熱溶着にて接着して平行均等な矩形体を形成する。
【００２８】
（二）連続した連結フィルムは、上下を上下外部フィルムと各々間接的に熱溶着にて連結して、上外部フィルムと下外部フィルムが平行でない矩形体（図９）を形成し、熱溶着線で上下外部フィルムに接着し、且つ連結フィルムの先端と末端で外部フィルムを接着して四方体を形成でき、若しくは先端と末端で両外部フィルムを連結フィルムと一緒に熱溶着して先端と末端が先鋭となる方形体（図１０）を形成できる。
【００２９】
連結フィルムと上下外部フィルムの接着方法は、上記の例を除き、本発明はこれに限るものではない。つまり連結フィルムは複数の片体或いは連続的な片体とすることができ、また外部フィルムに接着して外部フィルムとの間の夾角を直角とすることができ、或いは特定の角度を呈して接着できる。
【００３０】
本発明は、連結フィルムで複数の外部フィルムに連結され、外部フィルムが元々空気注入により膨張して形成された１つの円弧面を複数の円弧部に変える。また、複数の連結線は、必要性に応じて不等間隔或いは等間隔方法で設けることができ、等間隔に設けた場合、複数の円弧部に同じ弧度を持たせて同一平面上にあって互いに交わる。
外部フィルムが複数の連結フィルムで上下熱溶着にて固定されるため、空気注入時外部フィルムが制限を受けて外側へ広がることができない。よって空気を注入した後複数の中仕切り気室を備えた扁平な空気密封体を形成する。これにより、本発明は、複数の円弧部で物品にしっかり当接して物品の表面に多点接触することを形成し、従来の緩衝空気袋の、被緩衝物の１点を押すことによる被緩衝物の歪曲変形問題を効果的に解決できる。
【符号の説明】
【００３１】
１  コンテナ用扁平な緩衝空気袋
２０  主気室
２０１  中仕切り気室
２１、２２  外部フィルム
２３  熱溶着線
２５  円弧部
１  エアーバルブ装置
１３  エアーバルブ開閉器
１ａ、１ｂ  内部フィルム
１１ａ  空気注入口
１１ｂ  空気注入通路
１２  気体通路
５  連結フィルム
５１  スルーホール
６  連結線
【図１】
2014015261.tif 000003
【図２】
2014015261.tif 000004
【図３】
2014015261.tif 000005
【図４】
2014015261.tif 000006
【図５】
2014015261.tif 000007
【図６Ａ】
2014015261.tif 000008
【図６Ｂ】
2014015261.tif 000009
【図７】
2014015261.tif 000010
【図８】
2014015261.tif 000011
【図９】
2014015261.tif 000012
【図１０】
2014015261.tif 000013
【図１１】
2014015261.tif 000014